(57)【要約】【課題】輝度むらを抑制することが可能な光源ユニットおよびこれを用いた照明装置を提供する。【解決手段】照明装置１は、反射面Ｓ１に複数の窪み１０ａを有する導光板１０と、導光板１０の一側面に設けられ、複数のＬＥＤ１１Ａからなる光源部１１とを備える。複数の窪み１０ａはそれぞれ、反射面Ｓ１に平行な面の面形状において、光源部１１側が凹となるように湾曲した曲線部を有し、かつ、反射面Ｓ１に直交すると共に光源部１１を通る断面形状において丸みを帯びた形状を有している。光源部１１から導光板１０の内部へ入射した光が窪み１０ａにおいて全反射される際に、その指向性が緩和される。【選択図】図２
2012038503.tif 000002
【特許請求の範囲】
【請求項１】
第１主面を光出射面とすると共に、第２主面に複数の窪みを有する導光板と、
前記導光板の側面に１または複数設けられた光源とを備え、
前記複数の窪みはそれぞれ、前記第２主面に平行な面の面形状において、前記光源側が凹となるように湾曲した曲線部を有し、かつ、前記第２主面に直交すると共に前記光源を通る断面形状において丸みを帯びた形状を有する
光源ユニット。
【請求項２】
前記曲線部は円孤状にカーブしたものである
請求項１に記載の光源ユニット。
【請求項３】
各窪みの前記面形状は、前記円孤状に円を引き延ばした形状である
請求項２に記載の光源ユニット。
【請求項４】
前記光源を複数有し、
前記円孤状の弦方向に沿った前記面形状の長さをＰ、前記弦方向に直交する方向に沿った前記曲線部の凹み高さをａとしたとき、長さＰおよび高さａが、以下の式（１）を満足する
請求項２または３に記載の光源ユニット。
（ａ／Ｐ）×（θ／ＰL）≧０．１      ………（１）
但し、
θ：光源から発せられる光の半値角
ＰL：光源間距離
とする。
【請求項５】
前記導光板が互いに対向する第１および第２の側面を有し、前記第１および第２の側面にそれぞれ、前記光源が１または複数配置され、
各窪みの前記面形状は、
前記第１の側面に相対的に近い領域では、前記曲線部として、前記第１の側面側が凹んだ第１の曲線部を有し、
前記第２の側面に相対的に近い領域では、前記曲線部として、前記第２の側面側が凹んだ第２の曲線部を有する
請求項１に記載の光源ユニット。
【請求項６】
前記導光板が互いに対向する第１および第２の側面を有し、前記第１および第２の側面にそれぞれ、前記光源が１または複数配置され、
各窪みの前記面形状は、前記第１の側面側が凹んだ第１の曲線部と、前記第２の側面側が凹んだ第２の曲線部との両方を有する
請求項１に記載の光源ユニット。
【請求項７】
前記複数の窪みは、前記導光板の前記第２主面にランダムに配置されている
請求項１に記載の光源ユニット。
【請求項８】
前記断面形状が、その裾野から頂部にかけて徐々に傾斜角度が減少していくような形状となっている
請求項１ないし請求項７に記載の光源ユニット。
【請求項９】
前記断面形状における前記裾野の傾斜角度が５０°以上である
請求項８に記載の光源ユニット。
【請求項１０】
第１主面を光出射面とすると共に、第２主面に複数の窪みを有する導光板と、
前記導光板の側面の少なくとも一部に、１または複数設けられた光源とを備え、
前記複数の窪みはそれぞれ、前記第２主面に平行な面の面形状において、前記光源側が凹となるように湾曲した曲線部を有し、かつ、前記第２主面に直交すると共に前記光源を通る断面形状において丸みを帯びた形状を有する
光源ユニットを備えた照明装置。
【請求項１１】
前記導光板の光出射側に光拡散機能層を有する
請求項１０に記載の照明装置。
【発明の詳細な説明】
【技術分野】
【０００１】
本発明は、例えば液晶表示装置等のバックライトとして好適な光源ユニットおよび照明装置に関する。
【背景技術】
【０００２】
近年、液晶パネルを利用した液晶表示装置では、その商品価値を高める上で、表示輝度におけるむらを抑制することや、表示輝度を向上させることが重要な課題となっている。その一つとして、液晶表示装置では、薄型化のために、導光板を用いたサイドライト方式のバックライトが用いられることが多いが、このようなバックライトにおいて、輝度向上に優れ、かつ光源の指向性に依存する輝度むら（照明輝度むら）を抑制することが望まれている。そこで、導光板の下面に所定の加工を施し、光源からの出射光を、導光板の下面で全反射させて上面から外部へ取り出す手法が提案されている（例えば、特許文献１，２参照）。具体的には、特許文献１，２では、導光板の下面に、断面三角形状の凹部を設けることで、上記のような光取り出しを行っている。
【先行技術文献】
【特許文献】
【０００３】
【特許文献１】特開２００７−６６８８００号公報
【特許文献２】特許第４２３１８７８号公報
【発明の概要】
【発明が解決しようとする課題】
【０００４】
しかしながら、上記のような断面三角形状の凹部を有する導光板を用いたバックライトでは、輝度むらの均一化が不十分である。
【０００５】
本発明はかかる問題点に鑑みてなされたもので、その目的は、輝度むらを抑制することが可能な光源ユニットを提供することにある。
【課題を解決するための手段】
【０００６】
本発明の光源ユニットは、第１主面を光出射面とすると共に、第２主面に複数の窪みを有する導光板と、導光板の側面に１または複数設けられた光源とを備えたものである。複数の窪みはそれぞれ、第２主面に平行な面の面形状において、光源側が凹となるように湾曲した曲線部を有し、かつ、第２主面に直交すると共に光源を通る断面形状において丸みを帯びた形状を有している。
【０００７】
本発明の照明装置は、上記本発明の光源ユニットを備えたものである。
【０００８】
本発明の光源ユニットおよび照明装置では、導光板の第２主面に複数の窪みを有することにより、光源から発せられた後、導光板内を伝播する光の一部は、窪みにおいて全反射され、第１主面から出射する。この窪みが、第２主面に平行な面の面形状において、光源側が凹となるように湾曲した曲線部を有し、かつ第２主面に直交すると共に光源を通る断面形状において、丸みを帯びた形状を有することにより、上記のような窪みにおける全反射時の指向性が緩和される。
【発明の効果】
【０００９】
本発明の光源ユニットおよび照明装置によれば、導光板の第２主面に複数の窪みを有するようにしたので、光源からの光を、窪みにおいて全反射させて第１主面側から取り出すことができる。このとき、各窪みが、第２主面に平行な面の面形状において光源側が凹となるように湾曲した曲線部を有し、かつ第２主面に直交すると共に光源を通る断面形状において丸みを帯びた形状を有するようにしたので、その窪みでの全反射時の指向性を緩和することができる。よって、輝度むらを抑制することが可能となる。
【図面の簡単な説明】
【００１０】
【図１】本発明の一実施の形態に係る照明装置の概略構成を表す斜視図である。
【図２】図１に示した導光板および光源部の構成を表す図であり、（Ａ）は反射面側からみた平面模式図、（Ｂ）は（Ａ）図のＡ−Ａ線における矢視断面図を示す。
【図３】図２に示した窪みの詳細構成を表す平面模式図である。
【図４】図２に示した窪みの断面構成を表す模式図である。
【図５】比較例１に係る導光板および光源部の構成を表す図であり、（Ａ）は反射面側からみた平面模式図、（Ｂ）は断面模式図を示す。
【図６】図５に示した導光板を用いた場合の面発光の様子を撮影したものである。
【図７】比較例２に係る導光板および光源部の構成を表す図であり、（Ａ）は反射面側からみた平面模式図、（Ｂ）は断面模式図を示す。
【図８】図７に示した導光板を用いた場合の面発光の様子を撮影したものである。
【図９】図１に示した導光板を用いた場合の面発光の様子を撮影したものである。
【図１０】比較例３に係る照明装置の概略構成を表す断面図である。
【図１１】比較例４に係る照明装置の概略構成を表す断面図である。
【図１２】変形例１に係る照明装置における導光板および光源部の構成を表す平面模式図である。
【図１３】（Ａ）は変形例２に係る照明装置における導光板および光源部の構成を表す平面模式図であり、（Ｂ）は（Ａ）図に示した窪みを拡大して示したものである。
【図１４】実施例１−１，１−２における光源からの距離に対する輝度むら率を表す特性図である。
【図１５】実施例２−１，２−２における光源からの距離に対する輝度むら率を表す特性図である。
【発明を実施するための形態】
【００１１】
以下、本発明の実施の形態について、図面を参照して詳細に説明する。尚、説明は以下の順序で行う。
１．実施の形態（曲線部を有する窪みを導光板の反射面にランダム配置させた照明装置の例）
２．変形例１（導光板の両側面に光源を配置した場合の窪みの配置例）
３．変形例２（導光板の両側面に光源を配置した場合の窪みの他の平面形状の例）
【００１２】
＜実施の形態＞
［照明装置１の構成］
図１は、本発明の一実施の形態に係る照明装置（照明装置１）の斜視図である。照明装置１は、例えば液晶ディスプレイなどの表示装置のバックライトとして使用されるものである。この照明装置１は、互いに対向する反射面Ｓ１（第２主面）および出射面Ｓ２（第１主面）を有する導光板１０の側面に光源部１１が設けられたものである。導光板１０の出射面Ｓ２側には、例えば拡散シート１２が積層されている。以下、各部の具体的な構成について説明する。
【００１３】
光源部１１は、１または２以上（ここでは４つ）のＬＥＤ（Light Emitting Diode）１１Ａを導光板１０の側面に配置したものである。ＬＥＤ１１Ａは、例えば白色光を出射する発光ダイオードであり、例えばダイオードチップが耐熱ポリマーやセラミック等によりパッケージ化されたものであり、その発光面を導光板１０の側面に向けて配設されている。このような光源部１１は、図示しない光源駆動回路に接続されており、光源駆動回路からの駆動信号に応じて、各ＬＥＤ１１Ａにおける点灯および消灯が切り替えられるようになっている。
【００１４】
導光板１０は、光源部１１から発せられた光を伝播させて上面（出射面Ｓ２）へと導くための平板状の光学部材である。この導光板１０は、例えばＰＭＭＡ、ポリカーボネート、アクリル等からなり、厚みは例えば０．５ｍｍ〜４ｍｍである。各導光板１０の平面形状は例えば矩形状または方形状であり、その対向する２辺における２つの側面の一方または両方の側面（ここでは一側面）に、上記のように光源部１１が配設されている。このような導光板１０の反射面Ｓ１には窪み（１０ａ）が設けられている。
【００１５】
図２（Ａ）は、導光板１０および光源部１１を反射面Ｓ１側からみた平面模式図であり、図２（Ｂ）は（Ａ）図のＡ−Ａ線における矢視断面図である。このように、導光板１０の反射面Ｓ１には、複数の窪み１０ａがランダムに配置されている。窪み１０ａは、導光板１０の内部を伝播する光を全反射させ、出射面Ｓ２への入射角が所定の臨界角以下となるように、光を上方へ立ち上げる機能を有するものである。本実施の形態では、この窪み１０ａが、反射面Ｓ１に平行な面の面形状（以下、単に平面形状という）において、光源部１１側が凹となるように湾曲した曲線部（後述の曲線部１０ａ１）を有している。また、反射面Ｓ１に直交すると共に光源部１１を通る断面の断面形状（以下、単に断面形状という）においては、角のない丸みを帯びた形状を有している。
【００１６】
具体的には、窪み１０ａは、その平面形状において、図３（Ａ）に示したように、円孤状にカーブした曲線部１０ａ１を有している。ここでは、半径ｒの円を、円孤Ｃに沿って（円孤状に）引き延ばした形状を有している。詳細には、曲線部１０ａ１に対向して（光源部１１と反対側に）、その曲線部１０ａ１に沿ってカーブした曲線部１０ａ２を有している。換言すると、窪み１０ａの平面形状は、一軸方向に沿って長く、かつ角部を持たない形状が円孤状に湾曲したものである。このような窪み１０ａの平面形状において、以下の式（１）を満足することが望ましい。但し、円孤Ｃの弦方向に沿った長さをＰ、弦方向に直交する方向に沿った曲線部１０ａ１の凹み高さをａとする。また、ＬＥＤ１１Ａから発せられる光の半値角をθ、ＬＥＤ１１Ａ同士の配置間隔（光源間距離）をＰLとする。尚、半径ｒは０．１以下であることが望ましいが、導光板１０上に拡散シート１２を配置する場合には、０．５以下程度であっても構わない。
（ａ／Ｐ）×（θ／ＰL）≧０．１        ………（１）
【００１７】
また、図３（Ｂ）に示したように、上記のような窪み１０ａの平面形状において、曲線部１０ａ１は、光源部１１からの光の入射方向ｄ１に沿った軸Ｚに対して線対称形となっている。また、曲線部１０ａ１における各点の平均角は、軸Ｚに対して垂直（９０°）となっており、平面形状全体が、巨視的には直線状に近い形状と見做すことができる。
【００１８】
一方、図４（Ａ）に示したように、窪み１０ａの断面形状は、例えば半円状である。あるいは、角のない丸みを帯びた形状であれば、四角形に近い形状（図４（Ｂ））であってもよいし、三角形に近い形状（図４（Ｃ））であってもよい。いずれの断面形状であっても、裾野から頂部にかけて徐々に傾斜角度が減少していくような形状を有することが望ましく、更にその裾野の傾斜角度が５０°以上であることが理想的である。詳細は後述するが、断面形状が丸みを帯びた形状であることにより、窪み１０ａにおける全反射光の指向性を軽減することができ、裾野の傾斜角度が５０°以上であることにより、輝度を効率的に高めることができる。
【００１９】
拡散シート１２は、光拡散機能を有する光学部材である。本実施の形態では、後述するように、導光板１０からの出射光において輝度むらが低減されるため、この拡散シート１２の他に、他の拡散シートや拡散板を重ねて配置する必要がない。このようなシートの積層が不要であることにより、部品点数やコストを減少させることができ、また、界面反射による戻り光の発生を抑制することができる。
【００２０】
［照明装置１の作用、効果］
次に、本実施の形態の作用、効果について説明する。照明装置１では、光源部１１における各ＬＥＤ１１Ａから発せられ、導光板１０の内部へ入射した光は、導光板１０の内部を、全反射を繰り返しながら伝播する。この過程において、光が導光板１０の反射面Ｓ１に設けられた窪み１０ａに入射すると、この窪み１０ａに入射した光は、導光板１０と空気との界面に対し、その臨界角未満の角度で入射されるように、出射面Ｓ２へ向けて全反射される。このように、窪み１０ａにおける全反射によって光が出射面Ｓ２側へ立ち上げられ、出射面Ｓ２より出射される。そして、導光板１０を出射した光は、拡散シート１２によって面内輝度が均一化される。これにより、照明装置１において、均一な面発光がなされる。
【００２１】
ここで、本実施の形態の比較例（比較例１，２）に係る導光板について説明する。図５は、比較例１に係る導光板および光源部の構成を表す図であり、（Ａ）は反射面側からみた平面模式図、（Ｂ）は断面模式図を示す。図７は、比較例２に係る導光板および光源部の構成を表す図であり、（Ａ）は反射面側からみた平面模式図、（Ｂ）は断面模式図を示す。
【００２２】
比較例１では、導光板１００の反射面Ｓ１０１に、上記のような全反射による光取り出しのための凹部１００ａが複数設けられている。これらの複数の凹部１００ａは、それぞれが方向ｄ１に直交する方向に沿って延在している。また、反射面Ｓ１０１に直交すると共に光源部１０２を通る断面における断面形状は、頂角を有する三角形状となっている。即ち、比較例１の導光板１００では、その反射面Ｓ１０１に、断面三角形状の溝が所定の間隔で複数彫られている。このような導光板１００を用いて面発光を行った場合、図６に示したように、面内輝度において、上記のような凹部１００ａの溝のパターンが、そのまま筋状のむらとなってしまう。また、凹部１００ａが断面三角形状を有することにより、凹部１００ａにおける全反射光は、偏った指向性を生じ、これによって輝度むらを生じ易くなる。
【００２３】
一方、比較例２では、図７に示したように、導光板１００の反射面Ｓ１０１に、縦長のドット状の複数の凹部１００ｂがランダムに配置されている。各凹部１００ｂは、反射面Ｓ１０１に平行な面の平面形状において、光源１０２側に直線部１００ｂ１を有している。また、反射面Ｓ１０１に直交すると共に光源部１０２を通る断面における断面形状は半円状となっている。即ち、比較例２の導光板１００では、その反射面Ｓ１０１に断面半円状の窪みがランダムに複数設けられている。このような導光板１００を用いて面発光を行った場合、図８に示したように、上記比較例１に比べて凹部１００ｂにおける全反射光の指向性が弱まる分、輝度むらが多少は低減されるが、それでもまだ不十分である。即ち、比較例１，２では、光源の配置や凹部の形状、配置に起因する指向性により明暗縞（輝度むら）が生じてしまう。そのため、このような輝度むらを消すために、導光板１００の光出射側に、複数枚の拡散シートや拡散板を重ねて配置する必要が生じ、部品点数やコストが増加するだけでなく、界面反射による戻り光が増加し、輝度低下を招いてしまう。
【００２４】
これに対し、本実施の形態では、導光板１０の反射面Ｓ１に窪み１０ａがランダム配置されると共に、窪み１０ａがその平面形状において光源部１１側に凹んだ曲線部１０ａ１を有している。例えば、窪み１０ａの平面形状全体が、円孤状に湾曲した形状となっている。また、その断面形状においては、角のない丸みを帯びた形状となっている。これにより、光源部１１から導光板１０へ入射した光は、上述のように窪み１０ａにおける全反射の際に、その指向性が緩和される。即ち、上述した比較例１のような一方向に断面三角形状の凹部１００ａが延在する溝パターンや、比較例２のような縦長ドット状の凹部１００ｂをランダム配置するだけでは十分に抑制しきれなかった輝度むらが、効率良く抑制される。図９に、本実施の形態の導光板１０を用いた場合の面発光の様子を撮影したものを示す。尚、図９では、上記した窪み１０ａにおける各パラメータをＰ＝０．１ｍｍ，ａ／Ｐ＝０．１２５，ＰL＝９ｍｍ，θ＝２０°とした。
【００２５】
また、窪み１０ａの平面形状において、上記のような式（１）を満足することにより、その平面形状が最適化され、輝度むらがより効率的に抑制される。
【００２６】
更に、窪み１０ａの断面形状において、裾野から頂部にかけて徐々に傾斜角度が減少するような形状であることにより、またその裾野における傾斜角度が５０°以上であることにより、窪み１０ａにおいて光が効率的に出射面Ｓ２側へ立ち上げられる。これにより輝度が向上する。
【００２７】
ちなみに、図１０に比較例３に係る照明装置、図１１に比較例４に係る照明装置の概略構成についてそれぞれ示す。比較例３では、導光板１０１の反射面に凸部１０１ａを設け、その下方に反射シート１０５を設けた構造となっている。これにより、導光板１０１内を伝播する光が凸部１０１ａへ入射すると、その入射光は、導光板１０１の下方へ透過され、反射シート１０５において反射される。このような光は反射シート１０５に吸収されたり、反射シート１０５と導光板１０１との裏面との間で全反射を繰り返して迷光となり、光損失を招く。また、比較例４のように、導光板１０６の光出射側にプリズムシート１０７を設け、輝度を向上させる手法も考えられるが、このようなプリズムシートは、光の出射方向を制限して輝度を向上させるものである（導光板１０６からの出射光の一部は、導光板１０６側へ戻り、そのまま背面側へ透過する）。このため、導光板１０６の背面側（出射側と反対側）には、反射シート（図１１には図示せず）等を別途配置し、この反射シートによって、導光板側へ再び光を戻すようになっている。即ち、異なる光学部材間において光を繰り返し反射させ、リサイクルに供するため、その過程において光損失が生じることがある。また、光学機能シートを多用するため、コスト高になる。
【００２８】
以上のように、本実施の形態では、導光板１０の反射面Ｓ１に複数の窪み１０ａを配置し、この窪み１０ａが、平面形状において光源部１１側が凹となるように湾曲した曲線部１０ａ１を有し、かつ断面形状が丸みを帯びた形状を有するようにしたので、窪み１０ａでの全反射時の指向性を緩和することができる。よって、輝度むらを抑制することができる。
【００２９】
また、これにより、導光板１０からの出射光では十分に輝度が均一化されているから、導光板１０の光出射側には、拡散シートや拡散板等を複数枚積層する必要がなくなる。例えば、本実施の形態のように、導光板１０上に拡散シート１２を１枚配置すれば足り、部品点数を少なくすることができると共に、薄型化、低コスト化に有利となる。
【００３０】
次に、上記実施の形態の変形例（変形例１，２）について説明する。以下では、上記実施の形態と同様の構成要素については同一の符号を付し、適宜説明を省略する。
【００３１】
＜変形例１＞
図１２は、変形例１に係る照明装置における導光板および光源部の構成を表す平面模式図である。本変形例では、上記実施の形態と同様、導光板１０の反射面Ｓ１に複数の窪みがランダムに配置されたものである。また、各窪みは、その平面形状において、光源部側に凹となるように湾曲した曲線部を有している。但し、本変形例では、導光板１０の対向する２つの側面にそれぞれ、複数のＬＥＤ１１Ａからなる光源部（１１Ｒ，１１Ｌ）が配設されている。また、導光板１０の反射面Ｓ１の光源部１１Ｒ側の領域１０Ｒと、光源部１１Ｌ側の領域１０Ｌとで、窪みの向きが異なっている。
【００３２】
具体的には、領域１０Ｒにおける窪み（１０ａＲ）は、その平面形状における曲線部１０ａＲ１が光源部１１Ｒ側に向くように配置される一方、領域１０Ｌにおける窪み（１０ａＬ）は、その平面形状における曲線部１０ａＬ１が光源部１１Ｌ側に向くように配置されている。尚、窪み１０ａＲ，１０ａＬの各断面形状については、上記実施の形態と同様である。
【００３３】
このように、導光板１０の２つの側面に光源部１１Ｒ，１１Ｌを設けるようにしてもよい。また、この場合には、例えば上記のように導光板１０を略半分の領域１０Ｒ，１０Ｌに分け、各領域１０Ｒ，１０Ｌ毎に、適切な向きで窪み１０ａＲ，１０ａＬを配置すればよい。これにより、光源部１１Ｒから導光板１０へ入射した光は、主に領域１０Ｒにおける窪み１０ａＲにおいて全反射される。この際、指向性が抑制されて、導光板１０から出射する。同様に、光源部１１Ｌから導光板１０へ入射した光は、主に領域１０Ｌにおける窪み１０ａＬにおいて全反射され、指向性が抑制されつつ、導光板１０から出射する。よって、上記実施の形態と同等の効果を得ることができると共に、より光量が増えるため輝度を向上させることが可能となる。
【００３４】
＜変形例２＞
図１３（Ａ）は、変形例２に係る照明装置における導光板および光源部の構成を表す平面模式図であり、（Ｂ）は（Ａ）図に示した窪みを拡大して示したものである。本変形例では、上記実施の形態と同様、導光板１０の反射面Ｓ１に複数の窪みがランダムに配置されたものである。また、各窪みは、その平面形状において、光源部側に凹となるように湾曲した曲線部を有している。更に、上記変形例１と同様、導光板１０の対向する２つの側面にそれぞれ、複数のＬＥＤ１１Ａからなる光源部１１Ｒ，１１Ｌが配設されている。但し、本変形例では、上記変形例１と異なり、導光板１０の反射面Ｓ１には、互いに同一の形状の窪み１０ｂが同一の向きで配置されている。
【００３５】
具体的には、本変形例において、窪み１０ｂの平面形状（反射面Ｓ１に沿った面における面形状）は、上記実施の形態および変形例１において説明した平面形状と異なるものである。即ち、本変形例では、窪み１０ｂの平面形状が、軸Ｚに直交する軸Ｙに対して線対称な形状となっており、各窪み１０ｂが、光源部１１Ｒ側に曲線部１０ｂ１Ｒ、光源部１１Ｌ側に曲線部１０ｂ１Ｌをそれぞれ有している。尚、窪み１０ｂの断面形状については、上記実施の形態と同様である。
【００３６】
このように、導光板１０の２つの側面に光源部１１Ｒ，１１Ｌを設けた構造において、各窪み１０ｂが、曲線部１０ｂ１Ｒ，１０ｂ１Ｌの両方を備えるようにしてもよい。このようにした場合であっても、光源部１１Ｒから導光板１０へ入射した光は、主に窪み１０ｂにおける曲線部１０ｂ１Ｒにおいて全反射され、この際、指向性が抑制されて、導光板１０から出射する。同様に、光源部１１Ｌから導光板１０へ入射した光は、主に窪み１０ｂにおける曲線部１０ｂ１Ｌにおいて全反射され、指向性が抑制されつつ、導光板１０から出射する。よって、上記実施の形態および変形例１と同等の効果を得ることができる。
【００３７】
＜実施例＞
上記実施の形態の導光板１０について、以下のようなシミュレーションを行った。即ち、図２に示したように、複数の窪み１０ａがランダムに配置された導光板１０の一側面に複数のＬＥＤ１１Ａを配設し、これら複数のＬＥＤ１１Ａを点灯して、輝度むらについて測定した。具体的には、実施例１−１として、ＬＥＤ１１Ａから発せられる光の半値角θを１０°、光源間距離ＰLを２３．３ｍｍとし、ａ／Ｐ（Ｐ＝０．１ｍｍ）を、０，０．０２５，０．０５，０．１２５と４つの段階に変化させ、各場合における光源部１１からの距離に対する輝度むらを測定した。その測定結果を、図１４（Ａ）に示す。また、実施例１−２として、ＬＥＤ１１Ａにおける半値角θを２０°としたこと以外は上記実施例１−１と同様にして、輝度むらについて測定した。その結果を図１４（Ｂ）に示す。尚、輝度むらとしては、光源（詳細には光源の配置されている導光板側面）から任意の距離にある断面における輝度の最大値をＩmax、最少値をＩminとしたときに、次の式（２）によって表されるものである。
輝度むら率＝（Ｉmax−Ｉmin）／（面内平均輝度）    …（２）
【００３８】
また、実施例２−１として、ＬＥＤ１１Ａから発せられる光の半値角θを１０°、光源間距離ＰLを１０．０ｍｍとし、ａ／Ｐ（Ｐ＝０．１ｍｍ）を、上記実施例１−１と同様の４段階で変化させ、各場合における光源部１１からの距離に対する輝度むらを測定した。その測定結果を、図１５（Ａ）に示す。また、実施例２−２として、ＬＥＤ１１Ａにおける半値角θを２０°とし、光源間距離ＰLを１０．０ｍｍとし、ａ／Ｐ（Ｐ＝０．１ｍｍ）を０．１２５とした場合の輝度むらについても測定した。その結果を図１５（Ｂ）に示す。尚、この実施例２−２は、図９に示した実施例に対応するものである。
【００３９】
ここで、均一な面発光を実現するためには、輝度むら率が０．０５以下であることが理想的であることが経験的に得られている。これは、例えば次のようなシミュレーションに基づく。即ち、ａ／Ｐの値を、０．０２５，０．０５，０．１２５、半値角θを１０°，２０°、光源間距離ＰLを１０．０ｍｍ，２３．３ｍｍとした各場合（シミュレーションＮｏ．１〜１０）について、輝度むらの良否を３段階（○，△，×）で目視により判定すると、表１に示したような結果となった。尚、「輝度むら」の左欄は、上記式（２）によって与えられる輝度むら率の値を示している。表１に示したように、以下の式（１）の左辺によって得られる値（判定値）が、０．１以上となるシミュレーションＮｏ．６，９，１０において、輝度むらが良好に抑制されることがわかった。
【００４０】
【表１】
2012038503.tif 000003
【００４１】
これらの結果より、輝度むら率が０．０５以下（判定値０．１以上）であることが望ましく、これにより、以下の式（１）が導かれる。尚、上記実施例１−１，１−２，２−１，２−２においても、この式（１）を満たしている。
（ａ／Ｐ）×（θ／ＰL）≧０．１      ………（１）
【００４２】
従って、窪み１０ａでは、上記式（１）を満足することが輝度均一化の点において望ましい。特に、実施例２−２では、目視レベルでは輝度むらがほとんど認識できない程、輝度むらが良好に低減されている。
【００４３】
以上、実施の形態および変形例を挙げて本発明を説明したが、本発明はこれらの実施の形態等に限定されるものではなく、種々の変形が可能である。例えば、上記実施の形態等で説明した窪みの平面形状および断面形状は上述したものに限定されない。即ち、平面形状において光源部側が凹となるように湾曲した曲線部を少なくとも一部に有し、かつ断面形状において角のない丸みを帯びた形状を有していれば、本発明と同等の効果を得ることができる。
【００４４】
更に、上記実施の形態等では、導光板が平板状であり、その平面形状が矩形である場合を例に挙げて説明したが、これに限らず、導光板の平面形状は正方形等の他の形状であってもよい。また、平板状に限らず、楔形状等であってもよい。
【００４５】
加えて、上記実施の形態等では、導光板の１つの側面または２つの側面に、それぞれ４つのＬＥＤ１１Ａを配置した場合を例に挙げて説明したが、ＬＥＤ１１Ａの配置個数はこれに限定されるものではない。また、ＬＥＤ１１Ａ同士の配置間隔やＬＥＤ１１Ａにおける半値角についても、上述の実施例に限定されるものではない。但し、上述した条件式（１）を満足するように各パラメータが設定されることが輝度むらの観点から望ましい。
【符号の説明】
【００４６】
１…照明装置、１０…導光板、１０ａ，１０ａＲ，１０ａＬ，１０ｂ…窪み、１０ａ１，１０ａＲ１，１０ａＬ１，１０ｂ１Ｒ，１０ｂ１Ｌ…曲線部、１１…光源部、１１Ａ…ＬＥＤ、１２…拡散シート、Ｓ１…反射面、Ｓ２…出射面。
【図１】
2012038503.tif 000004
【図２】
2012038503.tif 000005
【図３】
2012038503.tif 000006
【図４】
2012038503.tif 000007
【図５】
2012038503.tif 000008
【図６】
2012038503.tif 000009
【図７】
2012038503.tif 000010
【図８】
2012038503.tif 000011
【図９】
2012038503.tif 000012
【図１０】
2012038503.tif 000013
【図１１】
2012038503.tif 000014
【図１２】
2012038503.tif 000015
【図１３】
2012038503.tif 000016
【図１４】
2012038503.tif 000017
【図１５】
2012038503.tif 000018